(57)【要約】【課題】リサイクル性を確保しつつも、蓋体と容器本体との回動動作を妨げず、かつ蝶番ピンを穴の外に抜け出ないようにすること。【解決手段】蓋体10と容器本体20とを蝶番ピン30にて連結して構成されるコンパクト容器１において、蝶番ピン30は、合成樹脂にて構成され、蝶番ピン30の側面30ａには、凸状のリブ31を長手方向に対して直交するように形成することを特徴とする。【選択図】  図２
2007037622.tif 000002
【特許請求の範囲】
【請求項１】
蓋体と容器本体とを蝶番ピンにて連結して構成されるコンパクト容器において、
前記蝶番ピンは、合成樹脂にて構成され、
前記蝶番ピンの側面には、凸状のリブを長手方向に対して直交するように形成することを特徴とするコンパクト容器。
【請求項２】
請求項１に記載のコンパクト容器であって、
前記蝶番ピンには、蝶番ピンの長手方向に貫通する貫通孔が形成されることを特徴とするコンパクト容器。
【発明の詳細な説明】
【技術分野】
【０００１】
本発明は、蝶番にピンを差し込んで蓋体と容器本体とを回動自在に保持するコンパクト容器に関するものである。
【背景技術】
【０００２】
従来、化粧料を収納するコンパクト容器の分野でも、環境に配慮し、材料の再利用が容易にできる構成のものがある（例えば、特許文献１、２参照）。特許文献１及び２では、通常は金属で構成される蝶番ピンを、合成樹脂にて構成している。このように構成すると、使用後のコンパクト容器を再利用する際に、蝶番ピンを取り外さなくともよくなる。これによって、分別収集を容易にすることができる。
【０００３】
【特許文献１】特開平１１−３４６８２３
【特許文献２】特開平１１−３４６８２４
【発明の開示】
【発明が解決しようとする課題】
【０００４】
しかしながら、一般に合成樹脂は金属に比べて表面の摩擦係数が大きい。このため、蝶番ピンを合成樹脂にて構成し、当該蝶番ピンを蓋体や容器本体の穴の内部に挿入すると、蝶番ピンの側面と穴の内部とが摺動しづらくなる。このため、蓋体と容器本体との回動性能が損なわれるという問題があった。
【０００５】
また、回動性能を高めようとして蝶番ピンの外径を小さくすると、穴の内部でガタが生じる。このため、コンパクト容器を使用し何度も蓋体の開閉をしているうちに、蝶番ピンが穴の中で徐々に移動し、やがては穴の外へ抜け出てしまうというおそれがあった。
【０００６】
本発明の目的は、リサイクル性を確保しつつも、蓋体と容器本体との回動動作を妨げず、かつ蝶番ピンを穴の外に抜け出ないようにすることである。
【課題を解決するための手段】
【０００７】
上記目的を達成するためのコンパクト容器の代表的な構成は、蓋体と容器本体とを蝶番ピンにて連結して構成されるコンパクト容器において、前記蝶番ピンは、合成樹脂にて構成され、前記蝶番ピンの側面には、凸状のリブを長手方向に対して直交するように形成することを特徴とする。
【０００８】
また、前記コンパクト容器であって、前記蝶番ピンには、蝶番ピンの長手方向に貫通する貫通孔が形成されることを特徴としてもよい。
【発明の効果】
【０００９】
以上のように、蝶番ピンが合成樹脂で構成されるため、リサイクル性を確保することができる。また、側面に凸状のリブを有するため、凸状のリブが蓋体及び容器本体と当接し、蝶番ピンが穴の外に抜け出ることを防止する。また、凸状のリブ以外の蝶番ピン側面は穴に直接当接しないため、蝶番ピンと穴との摩擦を適度に軽減し、蓋体と容器本体との回動動作を妨げることはない。
【００１０】
また、蝶番ピンに、蝶番ピンの長手方向に貫通する貫通孔を形成することで、蝶番ピンの内部側へ可撓性を有することとなる。これにより、蝶番ピンをピン貫通穴に挿入する際には、蝶番ピンの側面が樹脂の弾力により若干内側に押し込まれるため、ピン貫通穴の内部へ容易に入り込むことができる。かつ挿入後は、押し込まれた蝶番ピンの側面が外側へ復元するため、蝶番ピンをピン貫通穴の内壁に確実に嵌め込むことができる。
【発明を実施するための最良の形態】
【００１１】
図を用いて本発明の一つの実施形態を説明する。図１はコンパクト容器１の概略断面図であり、図２はコンパクト容器１の後部側から見た斜視図であり、図３は蝶番ピン30の側面図である。説明にあたっては、コンパクト容器１の概略構成をした後、本発明の特徴部分である蝶番ピン30の構成を詳細に説明する。
【００１２】
（コンパクト容器１の構成）
図１及び図２に示すように、コンパクト容器１は、化粧料を収納する収納部25を有する容器本体20と、容器本体20の上部を覆う蓋体10と、から構成される。
【００１３】
コンパクト容器１の前方においては、蓋体10側には係止部11が形成され、容器本体20側には係止部21が形成される。係止部11と係止部21とが互いに係止することにより、蓋体10が容器本体20を密閉することとなる。
【００１４】
コンパクト容器１の後方においては、蓋体10側には嵌合凸部12が形成され、容器本体20側には嵌合溝部22が形成される。また嵌合凸部12の両側側部にはピン差込穴13が形成され、嵌合溝部22の内側側部にはピン貫通穴23が形成されている。
【００１５】
図２に示すように、コンパクト容器１の組立時、嵌合凸部12を嵌合溝部22に嵌め込むと、ちょうどピン差込穴13とピン貫通穴23とが一直線上になる。ここで、蝶番ピン30を容器本体20の両側から挿入し、ピン差込穴13とピン貫通穴23とにまたがった位置で固定配設されることで、蓋体10と容器本体20とが連結される。こうして、蓋体10と容器本体20とがコンパクト容器１の後方で蝶着されることとなる。
【００１６】
（蝶番ピン30の詳細構成）
図３を用いて蝶番ピン30の構成を詳細に説明する。
【００１７】
まず、蝶番ピン30の材質は、蓋体10及び容器本体20と同様に合成樹脂製である。合成樹脂としては、例えば、ＰＰまたはＡＢＳなどを用い、かつ繊維強化材を添加してもよい。繊維強化材としては、グラスファイバーやカーボンファイバー等の繊維を用いることができる。
【００１８】
また、合成樹脂としては、プラスチックの中でも、いわゆるエンジニアリングプラスチック（略して、エンプラ）といわれるものが強度面で好ましい。尚、エンプラとは一般に、耐熱性が１００℃以上、強度が４９．０ＭＰａ以上、曲げ弾性率が２．４ＧＰａ以上ものとされる。
【００１９】
図３に示すように、蝶番ピン30の長手方向の両端部にはテーパ部32が形成されている。このため蝶番ピン30は、図２におけるピン貫通穴23に挿入しやすい構成となっている。
【００２０】
蝶番ピン30の側面30ａの周囲には、凸状のリブ31が長手方向に対して直交するように複数形成されている。ここで、リブ31の外径はピン貫通穴23の内径とほぼ同等又は若干大きめに構成される。このため蝶番ピン30は、リブ31の側面を当接させつつ、ピン貫通穴23の内壁に確実に嵌まり込むこととなる。
【００２１】
一方、ピン貫通穴23の内壁に当接するのはリブ31の部分のみである。このため、蝶番ピン30が、ピン差込穴13及びピン貫通穴23に対して確実に嵌まり込んだとしても、蝶番ピン30と蓋体10及び容器本体20との摩擦力が過大になることはない。こうして、蝶番ピン30と蓋体10及び容器本体20とは互いに円滑に摺動することができ、蓋体10と容器本体20との回動動作は円滑に行われる。
【００２２】
以上のように本実施形態では、蝶番ピン30を金属で構成するのでははなく、蓋体10や容器本体20と同様の合成樹脂にて構成する。これにより、コンパクト容器１が使用済みとなり、廃棄する場合であっても、蝶番ピン30を蓋体10や容器本体20から取り外さなくともよい。こうして、分別収集を容易にすることができる。
【００２３】
また、蝶番ピン30は、その側面30ａに複数のリブ31が形成される。すると、リブ31が蓋体10のピン差込穴13や容器本体20のピン貫通穴23に対して確実に嵌まり込み、蝶番ピン30が蓋体10や容器本体20から抜けることを防止することができる。
【００２４】
一方、リブ31が形成されると、リブ31以外の側面30ａは、ピン差込穴13やピン貫通穴23に対して当接しないこととなる。これにより、蝶番ピン30と蓋体10及び容器本体20との摩擦を適度に軽減することができ、蓋体10と容器本体20との開閉動作を円滑に行うことができる。
【００２５】
また、複数のリブ31は、長手方向に直交するように円周状に形成されている。このため、蓋体10と容器本体20とが回動した場合のどの姿勢においても、蝶番ピン30とピン差込穴13及びピン貫通穴23との摩擦力は同じとなる。このため、コンパクト容器１は、蓋体10を容器本体20から開けた任意の位置で止めることができるいわゆるフリーストップ機能を有することとなる。
【００２６】
〔他の実施形態〕
前述した実施形態においては、内部が中実の蝶番ピン30を例示したが、これに限るものではない。例えば、図４に示すように、蝶番ピンの長手方向（軸線の方向）に貫通する貫通孔33を有する蝶番ピン30Ａとしてもよい。このように構成すれば、蝶番ピン30Ａが撓みやすくなり、ピン差込穴13及びピン貫通穴23内の歪みを適切に吸収することができる。
【００２７】
また、蝶番ピン30Ａに、蝶番ピン30Ａの長手方向に貫通する貫通孔33を形成することで、蝶番ピン30Ａの内部側へ可撓性を有することとなる。これにより、蝶番ピン30Ａをピン貫通穴23に挿入する際には、蝶番ピン30Ａの側面30ａが樹脂の弾力により若干内側に押し込まれるため、ピン貫通穴23の内部へ容易に入り込むことができる。かつ蝶番ピン30Ａのピン貫通穴23への挿入後は、押し込まれた蝶番ピン30Ａの側面30ａが外側へ復元するため、蝶番ピン30Ａをピン貫通穴23、及びピン差込穴13の内壁に確実に嵌め込むことができる。
【産業上の利用可能性】
【００２８】
本発明はコンパクト容器に限らず、蝶着して開閉する構成の容器全般に適用することができる。
【図面の簡単な説明】
【００２９】
【図１】コンパクト容器１の概略断面図。
【図２】コンパクト容器１の後部側から見た斜視図。
【図３】本実施形態の蝶番ピン30の側面図。
【図４】他の実施形態の説明図。
【符号の説明】
【００３０】
１…コンパクト容器、10…蓋体、11…係止部、12…嵌合凸部、13…ピン差込穴、20…容器本体、21…係止部、22…嵌合溝部、23…ピン貫通穴、25…収納部、30…蝶番ピン、30Ａ…蝶番ピン、30ａ…側面、31…リブ、32…テーパ部、33…貫通孔
【図１】
2007037622.tif 000003
【図２】
2007037622.tif 000004
【図３】
2007037622.tif 000005
【図４】
2007037622.tif 000006